【手続補正書】
【提出日】令和2年10月14日(2020.10.14)
【手続補正１】
【補正対象書類名】明細書
【補正対象項目名】０００３
【補正方法】変更
【補正の内容】
【０００３】
給紙装置では、シート補給の際に搬送方向と垂直な方向にシート収納部をユーザが引き出し可能なように構成されている場合がある。ここで、シートが給紙ニップ領域に進入した状態でシート収納部を給紙装置側から押し出すと、シートが給紙ニップ領域に引っ掛かった状態で押し出されることになり、結果、シートが引き裂かれてしまうという問題があった。
【手続補正２】
【補正対象書類名】明細書
【補正対象項目名】０００４
【補正方法】変更
【補正の内容】
【０００４】
特許文献１では、そのような問題を解決するため、シート収納カセットをユーザが引き出す動作に連動して給紙ローラのニップを解除し、カセットからはみ出たシートをシート収納カセット側に戻す構成が記載されている。
【手続補正３】
【補正対象書類名】明細書
【補正対象項目名】０００７
【補正方法】変更
【補正の内容】
【０００７】
本発明の目的は、このような従来の問題点に鑑み、簡易な構成により、シート収納部の押し出しに伴うシートのダメージの発生を防ぐ給送装置、画像形成装置、画像形成システム、および制御方法を提供することを目的とする。
【手続補正４】
【補正対象書類名】明細書
【補正対象項目名】０００８
【補正方法】変更
【補正の内容】
【０００８】
上記課題を解決するため、本発明に係る給送装置は、所定の装置と接続可能に構成され、前記所定の装置にシートを給送する給送装置であって、筐体と、前記筐体の所定位置から押し出し可能に構成され、前記所定の装置に給送するシートを収納するシート収納部と、前記シート収納部からシートを給送する給送手段と、前記給送手段により給送されたシートを搬送経路を経由させて、シート搬送方向下流側に接続された前記所定の装置へとさらに搬送する搬送手段と、前記搬送手段よりもシート搬送方向下流側に設けられ、前記搬送経路上のシートの有無を検出する検出手段と、前記シート収納部を前記筐体の前記所定位置にロックするロック手段と、ユーザによって操作されることにより、前記シート収納部を前記所定位置から押し出す押し出し動作を行う信号を出力可能な操作手段と、前記ロック手段のロック状態を解除する解除手段と、を有し、前記検出手段によりシートが検出されず、前記操作手段によって操作された場合、前記ロック手段のロック状態は前記解除手段によって解除された状態であり、前記押し出し動作が行われ、前記検出手段によりシートが検出され、前記操作手段によって操作された場合、前記ロック手段のロック状態は前記解除手段によって解除された状態でない、
ことを特徴とする。
【手続補正５】
【補正対象書類名】明細書
【補正対象項目名】０００９
【補正方法】変更
【補正の内容】
【０００９】
本発明によれば、簡易な構成により、シート収納部の押し出しに伴うシートのダメージの発生を防ぐことができる。
【手続補正６】
【補正対象書類名】特許請求の範囲
【補正対象項目名】全文
【補正方法】変更
【補正の内容】
【特許請求の範囲】
【請求項１】
所定の装置と接続可能に構成され、前記所定の装置にシートを給送する給送装置であって、
筐体と、
前記筐体の所定位置から押し出し可能に構成され、前記所定の装置に給送するシートを収納するシート収納部と、
前記シート収納部からシートを給送する給送手段と、
前記給送手段により給送されたシートを搬送経路を経由させて、シート搬送方向下流側に接続された前記所定の装置へとさらに搬送する搬送手段と、
前記搬送手段よりもシート搬送方向下流側に設けられ、前記搬送経路上のシートの有無を検出する検出手段と、
前記シート収納部を前記筐体の前記所定位置にロックするロック手段と、
ユーザによって操作されることにより、前記シート収納部を前記所定位置から押し出す押し出し動作を行う信号を出力可能な操作手段と、
前記ロック手段のロック状態を解除する解除手段と、
を有し、
前記検出手段によりシートが検出されず、前記操作手段によって操作された場合、前記ロック手段のロック状態は前記解除手段によって解除された状態であり、前記押し出し動作が行われ、
前記検出手段によりシートが検出され、前記操作手段によって操作された場合、前記ロック手段のロック状態は前記解除手段によって解除された状態でない、
ことを特徴とする給送装置。
【請求項２】
前記操作手段から出力される前記信号に基づいて前記ロック手段のロック状態を前記解除手段により解除させる制御手段をさらに有し、
前記制御手段は、前記検出手段によりシートが検出されず、前記操作手段によって操作された場合、前記信号に基づいて前記解除手段により前記ロック手段のロック状態を解除させ、前記検出手段によりシートが検出され、前記操作手段によって操作された場合、前記解除手段により前記ロック手段のロック状態を解除させないことを特徴とする請求項１に記載の給送装置。
【請求項３】
前記制御手段は、前記給送装置から前記所定の装置へ搬送しているシートのジャムが発生した場合に前記検出手段によりシートが検出され、前記操作手段によって操作された場合、前記解除手段により前記ロック手段のロック状態を解除させないことを特徴とする請求項２に記載の給送装置。
【請求項４】
前記制御手段は、前記検出手段によりシートが検出されなくなるまで、前記解除手段により前記ロック手段のロック状態を解除させないことを特徴とする請求項２または３に記載の給送装置。
【請求項５】
前記搬送手段は、前記シートを除去する除去動作を行なうことが可能であり、
前記制御手段は、前記除去動作により前記シートが除去され、前記検出手段によりシートが検出されなくなれば、前記解除手段により前記ロック手段のロック状態を解除させる、
ことを特徴とする請求項４に記載の給送装置。
【請求項６】
前記除去動作は、前記シートを前記給送装置の外部へ前記搬送手段によって搬送することにより、前記シートを除去する動作であることを特徴とする請求項５に記載の給送装置。
【請求項７】
前記除去動作は、前記シートを前記シート収納部へ引き込むことにより、前記シートを除去する動作であることを特徴とする請求項５に記載の給送装置。
【請求項８】
前記操作手段はスイッチであり、前記スイッチがユーザによって押下されると前記信号が出力されることを特徴とする請求項１乃至７のいずれか１項に記載の給送装置。
【請求項９】
前記シート収納部がロックされた状態であることを表示する表示手段をさらに備えることを特徴とする請求項１乃至８のいずれか１項に記載の給送装置。
【請求項１０】
請求項１乃至９のいずれか１項に記載の前記給送装置と、
前記給送装置から給送されたシートに画像を形成する画像形成手段と、
を備える画像形成装置。
【請求項１１】
請求項１乃至９のいずれか１項に記載の前記給送装置と、
前記給送装置の給送先の装置であり、前記給送装置から給送されたシートに画像を形成する画像形成装置と、
を備える画像形成システム。
【請求項１２】
所定の装置と接続可能に構成され、シートを収納するシート収納部から前記所定の装置にシートを給送する給送装置において実行される制御方法であって、
前記給送装置の筐体の所定位置から押し出し可能に構成される前記シート収納部からシートを給送する給送工程と、
給送されたシートを搬送経路を経由させて、シート搬送方向下流側に接続された前記所定の装置へと搬送手段によってさらに搬送する搬送工程と、
前記搬送手段よりも前記シート搬送方向下流側において、前記搬送経路上のシートの有無を検出する検出工程と、
ロック手段によって前記シート収納部を前記筐体の前記所定位置にロックするロック工程と、
ユーザによって操作手段が操作されることにより、前記シート収納部を前記所定位置から押し出す押し出し動作を行う信号を出力可能な操作工程と、
解除手段によって前記ロック手段のロック状態を解除する解除工程と、
前記検出工程においてシートが検出されず、前記操作工程において前記操作手段によって操作された場合、前記ロック手段のロック状態が前記解除手段によって解除された状態にして、前記押し出し動作を行い、前記検出工程においてシートが検出され、前記操作工程において前記操作手段によって操作された場合、前記ロック手段のロック状態が前記解除手段によって解除された状態にしないよう制御する制御工程と、
を有することを特徴とする制御方法。